(57)【要約】【課題】電池残量とメディアの空き容量をいつも気にしておかなければならず、電池とメディアの片方でも残量がなくなると使えなくなるという課題がある。【解決手段】  蓄電池４１とメディア４２（フラッシュメモリ）を一体化し、その両者の残量の少ない方をメディア一体型電池の残量とする。機器の消費電力に合わせて電池容量とメモリ容量を最適化しておけば、電池消耗とメディア消費量を概ね等しくすることができ、一体化と相まって充電とメディア内容の保存（コピー）をいっしょに行えばよい。【選択図】図１
2007096789.tif 000002
【特許請求の範囲】
【請求項１】
蓄電池から電力の供給を受けながら記録メディアに情報を記録する情報記録装置であって、蓄電池の電池残量もしくは電池使用量を検知する電池容量検知手段と、記録メディアの使用状況を管理する容量管理手段と、検知された電池残量もしくは電池使用量と記録メディアの使用状況を用いて、蓄電池と記録メディアの両方の使用状態を統合した統一指標を求める指標処理手段と、求められた統一指標に応じて、それを使用者に知らせる表示手段とを備えた情報記録装置。
【請求項２】
前記指標処理手段は、電池残量と記録メディアの空き容量の少ない方をもって使用可能残量とし、その使用可能残量を前記統一指標として求める請求項１記載の情報記録装置。
【請求項３】
蓄電池から電力の供給を受けながら記録メディアに情報を記録する情報記録装置であって、記録メディアに記録する情報を圧縮して圧縮データを生成する圧縮手段と、蓄電池の電池残量と記録メディア部の空き容量とを用いて前記圧縮手段の圧縮率を可変して、記録メディアに記録するデータ量を制御するデータ量制御手段とを備えた情報記録装置。
【請求項４】
前記データ量制御手段は、電池残量に比べて記録メディアの空き容量が相対的に大きい場合には圧縮率を小さくして、多くの圧縮データを生成するよう制御し、逆に電池残量に比べて記録メディアの空き容量が相対的に小さい場合には圧縮率を大きくして、少ない圧縮データを生成するよう制御する請求項３記載の情報記録装置。
【請求項５】
蓄電池を充電する充電回路と、記録メディアに直接的にアクセスするメディアインターフェースと、保存メディアと、前記メディアインターフェースを介して記録メディアから情報を読み出して前記保存メディアに保存し、全ての情報の保存が完了した場合に記録メディアに記録されている情報を消去するデータ制御手段とを備えた充電器兼情報保存装置。
【請求項６】
蓄電池と記録メディアとを一体構成とし、請求項１，３記載の情報記録装置や請求項５記載の充電器兼情報保存装置に対して、一度の脱着操作で機器から蓄電池と記録メディアの両方を脱着できるメディア一体型電池。
【請求項７】
蓄電池を充電する充電回路と、固定保存手段と、本体装置の記録メディアに対して直接的にアクセスするメディアインターフェースと、外部保存装置に対してデータを読み書きする外部保存インターフェースと、前記記録メディアと前記固定保存手段間のデータ転送と、前記固定保存手段と前記外部保存装置間のデータ転送とを制御するデータ制御手段とを備え、前記固定保存手段に蓄積した情報を前記外部保存装置に転送可能な充電器兼情報保存装置。
【請求項８】
前記外部保存装置を内蔵した請求項７記載の充電器兼情報保存装置。
【請求項９】
蓄電池を充電する充電回路と、固定保存手段と、本体装置の記録メディアに対して直接的にアクセスするメディアインターフェースと、外部装置と通信するネットワークインターフェースと、前記記録メディアと前記固定保存手段間のデータ転送と、前記固定保存手段と前記ネットワークインターフェース間のデータ転送とを制御するデータ制御手段とを備え、固定保存手段に蓄積した情報を外部機器からアクセス可能な充電器兼情報保存装置。
【発明の詳細な説明】
【技術分野】
【０００１】
本発明は、デジタルビデオカメラなどの携帯機器と、それに用いる蓄電池とメディアの構成・管理方法、データの保存方法および装置に関するものである。
【背景技術】
【０００２】
フラッシュメモリの大容量化に伴い、従来テープメディアを主体としてきたデジタルビデオカメラでも、フラッシュメモリを記録メディアとする機器が登場してきている。これらの機器はフラッシュメモリを用いることで、特別なメカニズムが不要であり、小型化に適するという特徴がある。
【０００３】
しかし、記録メディアをそのまま保存メディアとして使うことが多い従来機器に比べて、フラッシュメモリは高価であるが故に保存メディアとしては用いられず、繰り返し使うために必ずＰＣを介して記録したデータを安価な保存メディアなどにコピーあるいは移動させる必要があるという基本的な課題を有している。
【０００４】
さらに、電力消費量が少ない携帯電話や使用時間が短いデジタルスチルカメラに比べてビデオカメラ用途では、メディアの消費量だけでなく電池の消耗も激しく、充電を頻繁に行わなければならないという課題もある。
【０００５】
結果として使用者は、ビデオカメラを使用するにあたっていつも電池残量とメディア空き容量に気を配り、都度、蓄電池を脱着したり記録メディアを脱着してメンテナンスを行うことを余儀なくされている。
【０００６】
これらの課題に対する一つの解決作として、特許文献１に、記録メディアに記録されているデータをビデオカメラ本体の充電中に読み出して、充電器側のメディアに保存する技術などが開示されている。
【０００７】
図６は従来例の充電器兼情報保存装置の構成図であり、本体機器（ビデオカメラ）６において、蓄電池６１は本体電力を供給する充電可能な電池、フラッシュメモリ６２は映像データなどを一時的に記録するフラッシュメモリ、通信インターフェース６３は充電器７との間で制御コマンドや記録データを送受信するインターフェース回路、メモリ制御部６４は図示せぬ信号処理回路からの記録データをフラッシュメモリ６２に記録したり、通信インターフェース６３を介した動作指示に従ってフラッシュメモリ６２からデータを読み出したりする制御回路である。
【０００８】
また充電器７において、充電部７１は本体機器６の蓄電池６１に充電電力を供給する充電制御回路、通信インターフェース７２は本体機器６との間で制御コマンドや記録データを送受信するインターフェース回路、外部記憶部７３は光ディスクドライブなど外部の保存メディアにデータを記録再生する外部記憶装置、制御部７４は通信インターフェース７２を介して受信した本体機器６のデータを外部記憶部７３に転送するなど外部保存動作を司る制御回路である。
【０００９】
まず、充電器７に本体機器６をセットすると、充電部７１が蓄電池６１を充電する。この充電動作中に、制御部７４は通信インターフェース７２を介して、本体機器６に対してフラッシュメモリ６２の記録データの転送指令を送出する。これを通信インターフェース６３を介して受信した本体機器６は、転送指令に応答してメモリ制御部６４がフラッシュメモリ６２のデータを読み出し、通信インターフェース６３を介して充電器７に送出する。充電器７では、制御部７４が通信インターフェース７２を介して読み出しデータを受け取りつつ、外部記憶部７３にデータを送り、光ディスクなどの保存メディアにデータを記録させる。データ転送が全て完了した場合には、制御部７４が通信インターフェース７２を介して、本体機器６に対してフラッシュメモリ６２の初期化指令を送出する。これを通信インターフェース６３を介して受信した本体機器６は、初期化指令に応じてメモリ制御部６４がフラッシュメモリ６２を消去（初期化）する。
【００１０】
以上のようにして、充電中に充電器７が本体機器６に指令を与え、データ通信を行って、本体機器６のフラッシュメモリ６２上のデータを保存メディアに移動することで、簡単に蓄電池６１を満充電状態に、フラッシュメモリ６２を最大空き容量状態にリフレッシュできるものである。
【特許文献１】特開２０００―６９３４１号公報
【発明の開示】
【発明が解決しようとする課題】
【００１１】
しかしながら前記従来の構成では、本体機器６と充電器７の間で動作指令を送受するための通信インターフェース６３，７２が双方に必要であり、その指令に応答した動作を行うための制御プログラムも双方に必要になるのなど、本体機器６および充電器７の構造が複雑化するという問題がある。
【００１２】
また、フラッシュメモリ６２の空き容量は充分に残っているのに蓄電池６１の残量がなくなる場合や、逆に蓄電池６１の残量は充分に残っているのにフラッシュメモリ６２の空き容量がなくなる場合なども考えられ、ユーザがいつも電池残量とメディア空き容量に気を配り、メンテナンスを行っていかなければならないという基本の課題解決にはなっていない。
【００１３】
さらに、本体機器６に蓄電池７とフラッシュメモリ６２がセットされている状態で充電器に接続しなければ、フラッシュメモリ６２のデータ保存ができない構成であるから、充電中は本体機器６を本来の目的、すなわちビデオ撮影等に使うことができないという課題も有している。
【課題を解決するための手段】
【００１４】
前記課題を解決するために、本願第１の発明の情報記録装置は、蓄電池から電力の供給を受けながら記録メディアに情報を記録するにあたって、蓄電池の電池残量もしくは電池使用量を検知する電池容量検知手段と、記録メディアの使用状況を管理する容量管理手段と、検知された電池残量もしくは電池使用量と記録メディアの使用状況を用いて、蓄電池と記録メディアの両方の使用状態を統合し、電池残量と記録メディアの空き容量の少ない方を求めるなどして統一指標を求める指標処理手段と、求められた統一指標に応じてそれを使用者に知らせる表示手段とを備えるものである。
【００１５】
以上のような構成により、本願第１の発明の情報記録装置によれば、電池残量が少なくなるか、記録メディアの空き容量が少なくなるかのどちらか一方の事態で、ユーザに対して充電と情報保存を促すことができ、ユーザのメンテナンス負荷が軽減される。
【００１６】
また第２の発明の情報記録装置は、蓄電池から電力の供給を受けながら記録メディアに情報を記録するにあたって、記録メディアに記録する情報を圧縮してメディア消費量が少ない圧縮データを生成する圧縮手段と、蓄電池の電池残量と記録メディア部の空き容量とを用いて前記圧縮手段の圧縮率を可変して、記録メディアに記録するデータ量を制御するデータ量制御手段とを備え、電池残量に比べて記録メディアの空き容量が相対的に大きい場合には圧縮率を小さくして、多くの圧縮データを生成するよう制御し、逆に電池残量に比べて記録メディアの空き容量が相対的に小さい場合には圧縮率を大きくして、少ない圧縮データを生成するよう制御するものである。
【００１７】
第２の発明の情報記録装置によれば、記録を続けて電池残量が少なくなると記録メディアの空き容量も少なくなり、充電すべき事態と記録メディアのデータを保存すべき事態が概ね同時に訪れるように作用する。結果としてユーザは、電池切れとメディアの空き容量不足の２つを個別に気にかけずともよく、メンテナンス負荷がさらに軽減される。
【００１８】
また第３の発明の充電器兼情報保存装置は、蓄電池を充電する充電回路と、記録メディアに直接的にアクセスするメディアインターフェースと、保存メディアと、前記メディアインターフェースを介して記録メディアから情報を読み出して前記保存メディアに保存し、全ての情報の保存が完了した場合に記録メディアに記録されている情報を消去するデータ制御手段とを備えるものである。
【００１９】
第３の発明の充電器兼情報保存装置によれば、充電器と本体機器間での通信が必要なく、機器構成が格段に簡略化される。
【００２０】
また第４の発明のメディア一体型電池は、蓄電池と記録メディアの両方をユーザが個別にメンテナンスする必要をなくし、蓄電池と記録メディアとを一度の脱着操作で機器からを脱着できるように、蓄電池と記録メディアとを一体構成とするものである。
【００２１】
第４の発明のメディア一体型電池によれば、第１，２の発明の情報記録装置や、第３の発明の充電器兼情報保存装置に対して、一度の脱着操作で蓄電池と記録メディアの両方を脱着できてユーザの取り扱いが簡便化されるとともに、蓄電池と記録メディアが一体であるが故、第１，２の発明の効果を最大限に発揮させることができる。さらに、本体機器の消費電力とメディア消費量に合わせて、電池容量と記録メディアの容量の両方をマッチングさせれば、充電とデータ保存の回数を最小限にすることができ、最大効率を生み出すことができる。
【００２２】
また第５の発明の充電器兼情報保存装置は、蓄電池を充電する充電回路と、固定保存手段と、本体装置の記録メディアに対して直接的にアクセスするメディアインターフェースと、外部保存装置に対してデータを読み書きする外部保存インターフェースと、前記記録メディアと前記固定保存手段間のデータ転送と、前記固定保存手段と前記外部保存装置間のデータ転送とを制御するデータ制御手段とを備え、前記固定保存手段に蓄積した情報を前記外部保存装置に転送可能としたものである。
【００２３】
第５の発明の充電器兼情報保存装置によれば、ＰＣを介することなく携帯機器にとって必需品である充電器のみで、データ保存に適した小型大容量のハードディスク装置などの固定保存手段に日常的なデータを一時的に蓄積しておき、長期保存したいデータを適時に外部保存装置を介して外部メディアに転送・保存することができる。
【００２４】
さらに第６の発明の充電器兼情報保存装置は、蓄電池を充電する充電回路と、固定保存手段と、本体装置の記録メディアに対して直接的にアクセスするメディアインターフェースと、外部装置と通信するネットワークインターフェースと、前記記録メディアと前記固定保存手段間のデータ転送と、前記固定保存手段と前記ネットワークインターフェース間のデータ転送とを制御するデータ制御手段とを備え、固定保存手段に蓄積した情報を外部機器からアクセス可能としたものである。
【００２５】
第６の発明の充電器兼情報保存装置は、高速・小型・大容量で通常のデータ保存に適したハードディスク装置などの固定保存手段に一時的に蓄積しておいたデータを、ネットワークを介して外部のパーソナルコンピュータなどから参照したりコピー、削除することが可能となり、通常の簡便なメンテナンスと編集などの本格作業とを両立する環境を提供できる。
【発明の効果】
【００２６】
本発明の情報記録装置および充電器兼情報保存装置およびメディア一体型電池によると、電池残量とメディア空き容量に個別に気を配る必要がなくメンテナンス負荷が軽減され、構造の簡素化が図れ、充電中も本来の目的に使用することができるという効果が得られる。
【発明を実施するための最良の形態】
【００２７】
以下に、本発明の実施の形態について、図面を参照しながら説明する。
【００２８】
（実施の形態１）
図１は、本発明の実施の形態１における情報記録装置１とメディア一体型電池４の構成図である。
【００２９】
図１の情報記録装置１において、電池残量検知部１１は蓄電池４１の電池残量を検知する回路、データ管理部１２は記録メディアであるフラッシュメモリ４２のどこに対してデータを読み書きするかを管理するものであり、その過程として空き容量を管理している回路である。残量管理部１３は電池残量検知部１１から得られる電池残量とデータ管理部１２から得られる空き容量の２つの指数から、少ない方を統一指標の「残量」として求める回路、表示部１４は画面表示やランプの点滅などによって求められた残量をユーザに知らせる表示回路である。
【００３０】
なお、電池残量検知部１１は電池容量検知手段、データ管理部１２は容量管理手段、残量管理部１３は指標処理手段、表示部１４は表示手段に相当している。また、電池容量検知手段は、蓄電池４１の電池残量を検知する電池残量検知部１１に替えて、蓄電池４１の電池使用量を検知するものであってもよい。
【００３１】
例えば、残量管理部１３は満充電状態を"１００"とした場合の電池残量と、フラッシュメモリ４２に何も記録していない状態（初期状態）を"１００"とした場合の空き容量とを比較し、２つの指数から、少ない方を統一指標の「残量」として求める。これを数値としてそのまま表示部１４にて表示するか、図示化して表示することで、ユーザは蓄電池４１とフラッシュメモリ４２の消費状態を把握することができる。あるいは、残量が所定量（例えば"１０"）を下回った場合に警告のためにランプを点滅させても良い。最終的に全く残量がなくなった場合にはその旨を表示し、記録を止めたり電源を遮断するなどの処置を行って、ユーザに充電とフラッシュメモリ４２のデータ保存を促すものである。
【００３２】
以上の構成により、ユーザは電池残量とフラッシュメモリ４２の空き容量の両方を同時に気にしながら記録を行なわなければいけないという制約がなくなり、電池残量とフラッシュメモリ４２の空き容量を統一して管理することができる。
【００３３】
また、図１のメディア一体型電池４に示すように、蓄電池４１と記録メディアであるフラッシュメモリ４２を一体とすれば、電池残量とフラッシュメモリ４２の空き容量を、より一層、統一して管理することができる。さらに、蓄電池４１とフラッシュメモリ４２の一体化によって、ユーザは充電とデータ保存を促された際に、メディア一体型電池４を情報記録装置１に対して一回の脱着作業によって取り外すことができ、操作性に優れる。
【００３４】
なお、上記実施の形態では、残量を指数にて管理する方法を述べたが、それに限るものではなく、例えば記録可能な時間に換算するものであってもよい。
【００３５】
（実施の形態２）
図２は、本発明の実施の形態２における情報記録装置２とメディア一体型電池４の構成図である。
【００３６】
図２の情報記録装置２において、図１の情報記録装置１と同じ構成については同じ符号を用い説明を省略する。圧縮率制御部２１は電池残量とフラッシュメモリ４２の空き容量とを比較し圧縮率を求める回路、信号処理部２２は圧縮率制御部２１で求められた圧縮率に従い、記録情報を圧縮し、圧縮データを生成する回路である。
【００３７】
なお、圧縮率制御部２１がデータ量制御手段、信号処理部２２が圧縮手段となる。
【００３８】
例えば本実施の形態を、映像信号を高能率圧縮して記録メディアに記録するビデオカメラにあてはめると、仮に電池残量が多くフラッシュメモリ４２の空き容量が少ない場合には、電池残量に見合う時間の映像を記録することができなくなるので、圧縮率制御部２１で高い圧縮率となるように制御し、信号処理部２２で生成される圧縮データを少なくする。逆に、電池残量が少なくフラッシュメモリ４２の空き容量が多い場合には、電池残量が無くなっても記録メディアが余る状態となるので、圧縮率制御部２１で低い圧縮率となるように制御し、信号処理部２２で生成される圧縮データを多くなるようにする。
【００３９】
以上の構成により、満充電された蓄電池と初期化されたフラッシュメモリ４２の容量を最も効率よく使い切ることができる。結果として、充電と記録情報の保存を行うべきタイミングが概ね同時に訪れることでユーザの利便性が向上する。
【００４０】
なお、図２のメディア一体型電池４に示すように、蓄電池４１と記録メディアであるフラッシュメモリ４２を一体とすれば、電池容量とメディア容量の組み合わせが固定され、充電と記録情報の保存を行うべきタイミングが概ね同時に訪れることでユーザの利便性が向上するという効果がより一層確かなものとなる。さらに一体化によって、機器の消費電力に併せた電池容量およびメディア容量を最適化すれば、より一層、安定的な圧縮率にて電池消費とメディア消費を合わせることができる。
【００４１】
（実施の形態３）
図３は、本発明の実施の形態３における充電器兼情報保存装置３とメディア一体型電池４の構成図である。
【００４２】
図３の充電器兼情報保存装置３において、充電回路３１は接続する蓄電池４１の充電を制御する回路、メディアインターフェース３２は接続される記録メディアであるフラッシュメモリ４２をアクセスするためのインターフェース、保存媒体３３はフラッシュメモリ４２のデータの保存先となるハードディスク装置などの保存媒体、アクセス制御部３４はメディアインターフェース３２を介してフラッシュメモリ４２にアクセスしたり、保存媒体３３にデータを読み書きする制御回路である。
【００４３】
なお、保存媒体３３が保存メディア、アクセス制御部３４がデータ制御手段となる。
【００４４】
まず、蓄電池４１がセットされると充電回路３１が充電動作を開始する。これに連動してアクセス制御部３４は接続されているフラッシュメモリ４２にアクセスして記録されている情報を順次読み出すと同時に、保存媒体３３に対して読み出したデータを書き込む。こうしてフラッシュメモリ４２の内容をすべて保存媒体３３にすべてコピーする。コピーが終了するとアクセス制御部３４はフラッシュメモリ４２に記録されていたコピー済みの内容を消去して初期化を行う。
【００４５】
以上の構成により、充電器兼情報保存装置３にセットされた蓄電池４１を充電すると同時に、ＰＣを介さずにフラッシュメモリ４２の内容を保存することができる。特に、直接フラッシュメモリ４２を接続することから、本体機器への動作指令などの通信手段などが一切不要となり機器が複雑になることはない。
【００４６】
また、図３のメディア一体型電池４に示すように、蓄電池４１と記録メディアであるフラッシュメモリ４２を一体とすれば、一回の脱着作業によって充電器兼情報保存装置３への取り付け，取り外しが行え、操作性に優れる。
【００４７】
さらに、実施の形態１，２の情報記録装置にとっては、メディア一体型電池４が実施の形態３の充電器兼情報保存装置３による充電作業中であっても、スペアのメディア一体型電池４があれば、当該スペアのメディア一体型電池４を装着することで、情報記録装置を本来の機能、すなわちビデオ撮影等として使えるという副次的な利点もある。
【００４８】
なお、実施の形態１，２，３では、メディア一体型電池４は蓄電池４１にフラッシュメモリ４２を一体化する構成としたが、フラッシュメモリ４２に替えてフラッシュメモリソケットを一体化する構成としてもよい。
【００４９】
（実施の形態４）
図４は、本発明の実施の形態４における充電器兼情報保存装置５Ａの構成図である。
【００５０】
図４において、前記実施の形態と同じ構成については同じ符号を用いて説明を省略する。充電器兼情報保存装置５Ａにおいて、固定保存媒体５１は小型で大容量の保存に適したハードディスク装置などの保存媒体、外部保存インターフェース５２は必要なデータを外部ドライブ５５に装着した外部メディアに保存（バックアップ）するに適した光ディスク装置などと接続するインターフェース、アクセス制御部５３はメディアインターフェース３２を介して記録メディアであるフラッシュメモリ４２にアクセスしたり、外部保存インターフェース５２を介して外部ドライブ５５の外部メディアに記録再生するための制御回路である。
【００５１】
なお、固定保存媒体５１は固定保存手段、アクセス制御部５３はデータ制御手段、外部ドライブ５５は外部保存装置となる。
【００５２】
まず、実施の形態３と同様に、充電中にフラッシュメモリ４２の内容は固定保存媒体５１に蓄積される。例えば、旅行中にて、小さな携帯機器とその充電器を携行することは容易であるが、それらの機器の記録データを保存するためにＰＣ（パーソナルコンピュータ）までも携行することは大変なことである。しかし実施の形態４の構成により、ＰＣを介さずとも必携する充電器兼情報保存装置５Ａだけでデータを保存できる。ただし、それだけではいつかは固定保存媒体５１も空き容量が無くなってしまうので、光ディスク装置などの外部ドライブ５５を外部保存インターフェース５２を介して接続して、固定保存媒体５１の内容を光ディスクなどに待避するものである。これにより完全にＰＣを介さずに、一次蓄積と長期保存を行う方法を携帯機器に提供することができる。
【００５３】
なお、実施の形態４では、外部ドライブ５５が外部保存インターフェース５２を介して充電器兼情報保存装置５Ａに接続される構成であったが、充電器兼情報保存装置５Ａにドライブ５５を内蔵したものであってもよい。
【００５４】
（実施の形態５）
図５は、本発明の実施の形態５における充電器兼情報保存装置５Ｂの構成図である。
【００５５】
図５の充電器兼情報保存装置５Ｂは、実施の形態４の外部保存インターフェース５２に代えてネットワークインターフェース５４を備えたものであり、実施の形態４と同じ構成については同じ符号を用いて説明を省略する。
【００５６】
実施の形態４では、ＰＣを介さずとも大切なデータを一次蓄積と長期保存ができるが、逆にＰＣで手軽にデータを扱うことができなくなってしまう。これに対して実施の形態５の充電器兼情報保存装置５Ｂは、外部のＰＣからネットワークインターフェース５４を介して固定保存媒体５１に蓄積したデータにアクセスできるようになる。
【００５７】
以上の構成により、旅行先や日常の使用では手軽に記録と一次蓄積を行い、ある程度の量が蓄積された段階でＰＣからデータにアクセスして編集を行うと言った環境を柔軟に提供できる。
【産業上の利用可能性】
【００５８】
本発明にかかる情報記録装置、充電器兼情報保存装置およびメディア一体型電池は、デジタルビデオカメラのように比較的に電池消費量が大きく、かつ記録メディアの消費量も大きい機器などで、頻繁に充電およびメディアの記録内容のコピー（保存）が必要となる機器に適用して有用である。特に携帯機器で記録された大量のデータを手軽に蓄積・保存するに適用して大きな利点がある。
【図面の簡単な説明】
【００５９】
【図１】本発明の実施の形態１における情報記録装置とメディア一体型電池の構成図
【図２】本発明の実施の形態２における情報記録装置とメディア一体型電池の構成図
【図３】本発明の実施の形態３における充電器兼情報保存装置とメディア一体型電池の構成図
【図４】本発明の実施の形態４における充電器兼情報保存装置の構成図
【図５】本発明の実施の形態５における充電器兼情報保存装置の構成図
【図６】従来の充電器兼情報保存装置の構成図
【符号の説明】
【００６０】
１，２  情報記録装置
１１  電池残量検知部（電池容量検知手段）
１２  データ管理部（容量管理手段）
１３  残量管理部（指標処理手段）
１４  表示部（表示手段）
２１  圧縮率制御部（データ量制御手段）
２２  信号処理部（圧縮手段）
３，５Ａ，５Ｂ  充電器兼情報保存装置
３１  充電回路
３２  メディアインターフェース
３３  保存媒体（保存メディア）
３４  アクセス制御部（データ制御手段）
４  メディア一体型電池
４１  蓄電池
４２  フラッシュメモリ（記録メディア）
５１  固定保存媒体（固定保存手段）
５２  外部保存インターフェース
５３  アクセス制御部（データ制御手段）
５４  ネットワークインターフェース
５５  外部メディア（外部保存装置）
【図１】
2007096789.tif 000003
【図２】
2007096789.tif 000004
【図３】
2007096789.tif 000005
【図４】
2007096789.tif 000006
【図５】
2007096789.tif 000007
【図６】
2007096789.tif 000008